(57)【要約】【目的】拡散パネルの直下に配置した直下型のＬＥＤを用いて均一な面状発光を可能にしつつ、しかもコンパクトかつ安価にする。【構成】底部４とその周囲を囲む斜面部１３を有するリフレクター３を設け、底部４の中央にＬＥＤ５を取付ける。ＬＥＤ５のレンズ６に光制御手段７のホルダ部９を被せて着脱自在に取付け、光制御手段７の円板部８に反射主体部１１と反射・透過部１２を設ける。反射主体部１１はＬＥＤ５の透過量を少なくし、多くをリフレクター３側へ反射させる。反射・透過部１２は反射主体部１１よりも透過量を多くする。このようにすると、反射主体部１１及び反射・透過部１２を透過した光と、リフレクター３により乱反射した光により、リフレクター３の上方全体をほぼ均一な輝度にする。【選択図】図３
2004006317.tif 000002
【特許請求の範囲】
【請求項１】
光源の前方へ半透明の拡散パネルを配置し、この拡散パネルを光源の光で面発光させるようにした直下型の表示装置において、
前記光源としてＬＥＤを用い、このＬＥＤの光を反射するリフレクターと、ＬＥＤ及び拡散パネルの間に配置される光制御手段とを備えるとともに、
この光制御手段は、前記ＬＥＤの光を反射及び透過し、かつ前記ＬＥＤの中心部に対応する位置に設けられて光の透過量よりも反射量を多くする反射主体部と、その周囲に設けられて前記反射主体部よりも光の透過量を多くした反射透過部を備えることを特徴とする面発光装置。
【請求項２】
前記ＬＥＤがレンズ型であり、前記光制御手段はこのＬＥＤのレンズ外面へ被さるホルダ部を備え、このホルダ部により前記ＬＥＤに対して着脱自在であることを特徴とする請求項１に記載した面発光装置。
【請求項３】
前記光制御手段が前記ＬＥＤと一体に形成されていることを特徴とする請求項１に記載した面発光装置。
【請求項４】
前記リフレクターは斜面部を備え、この斜面部の最高部よりも前記光制御手段の前記反射主体部及び反射透過部の位置が低いことを特徴とする請求項１に記載した面発光装置。
【請求項５】
前記光制御手段が前記リフレクターの斜面部上に支持される板状部材であることを特徴とする請求項４に記載した面発光装置。
【請求項６】
前記リフレクターは、前記ＬＥＤが取付けられる底部と、その周囲を囲む斜面部とからなるＬＥＤの光軸方向から見て円形又は略正多角形状をなす構成を１ユニットとし、この１ユニットに前記ＬＥＤと光制御手段を設けたものを単数又は複数用いて構成することを特徴とする請求項１〜５のいずれかに記載した面発光装置。
【発明の詳細な説明】
【０００１】
【発明の属する技術分野】
この発明は、電飾看板や電光表示装置等に用いる面発光装置に係り、特に直下型のＬＥＤを用いて面状発光を可能にしたものに関する。ここで直下型とは、拡散パネルと光源の配置において、拡散パネルと光源を上下に配置したとき拡散パネルの下方に光源が位置する配置関係を意味し、拡散パネルを立てて看者がその前面に正対したときは、その後方側に光源が位置する配置関係をいうものとする。また光源の光がその光軸に沿って進む方向を前方とする。
【０００２】
【従来の技術】
電飾看板等に用いる面発光装置として、光源を側部に配置したエッジライト型と拡散パネルの後方へ配置した直下型が知られている。エッジライト型は拡散パネルの後方へ配置した導光パネルへその側端に配置した棒状の光源から光を導入して面発光させるものである。一方、直下型は直接光源で拡散パネルを照射するようになっている。また光源としてＬＥＤを用いることも知られている。
【０００３】
【発明が解決しようとする課題】
上記エッジライト型の場合、高価な導光パネルを用いるため、面積が大きくなればなるほど著しく高価なものになる。しかも光源から発光面までの光の導入経路が長くなり、それだけ減衰が大きくなるため、より強力な光源を設けなければならず、この点でもコストが嵩むとともに、光源を側方へ配置する分だけ装置が大型化する。
【０００４】
一方、直下型の場合は、光源と拡散パネルの距離が近いため、拡散パネルを通して光源の形が見えるなど拡散パネルの輝度にムラが生じ、均一な発光面を有する面状発光体を得ることができない。また、輝度をより均一化しようとすれば拡散パネルと光源の間隔を大きくすることになるが、このようにすると全体が暗くなり、かつ装置が厚くなって大型化する。発熱光源を用いる場合も拡散パネルと光源を離さなければならないので同様な問題がある。
そこで本願発明は、直下型で、かつ十分に明るい面状発光体を得るとともに、安価かつコンパクト化できる面発光装置の提供を目的とする。
【０００５】
【課題を解決するための手段】
上記課題を解決するため本願の面発光装置に係る請求項１の発明は、光源の前方へ半透明の拡散パネルを配置し、この拡散パネルを光源の光で面発光させるようにした直下型の表示装置において、前記光源としてＬＥＤを用い、このＬＥＤの光を反射するリフレクターと、ＬＥＤ及び拡散パネルの間に配置される光制御手段とを備えるとともに、この光制御手段は、前記ＬＥＤの光を反射及び透過し、かつ前記ＬＥＤの中心部に対応する位置に設けられて光の透過量よりも反射量を多くする反射主体部と、その周囲に設けられて前記反射主体部よりも光の透過量を多くした反射透過部を備えることを特徴とする。
【０００６】
請求項２の発明は、上記請求項１において、前記ＬＥＤがレンズ型であり、前記光制御手段はこのＬＥＤのレンズ外面へ被さるホルダ部を備え、このホルダ部により前記ＬＥＤに対して着脱自在であることを特徴とする。
【０００７】
請求項３の発明は、上記請求項１において、前記光制御手段が前記ＬＥＤと一体に形成されていることを特徴とする。
【０００８】
請求項４の発明は、上記請求項１において、前記リフレクターは斜面部を備え、この斜面部の最高部よりも前記光制御手段の前記反射主体部及び反射透過部の位置が低いことを特徴とする。
【０００９】
請求項５の発明は、上記請求項４において、前記光制御手段が前記リフレクターの斜面部上に支持される板状部材であることを特徴とする。
【００１０】
請求項６の発明は、上記請求項１〜５のいずれかにおいて、前記リフレクターは、前記ＬＥＤが取付けられる底部と、その周囲を囲む斜面部とからなるＬＥＤの光軸方向から見て円形又は略正多角形状をなす構成を１ユニットとし、この１ユニットに前記ＬＥＤと光制御手段を設けたものを単数又は複数用いて構成することを特徴とする。
【００１１】
【発明の効果】
請求項１の発明によれば、光制御手段を設け、これを拡散パネルとＬＥＤの間に配置し、かつ光制御手段に反射主体部と反射・透過部を設けたので、ＬＥＤと拡散パネルの間に形成される光乱反射域と透過・乱反射域の光量を平均化できる。このため拡散パネルの輝度は全体が均一化した面状発光となる。
しかも、光制御手段を介在させること及びＬＥＤの発熱量が少ないため、光源であるＬＥＤを拡散パネルへ近接できるので、全体の明るさを十分にでき、かつ装置の厚みを薄くして全体をコンパクト化できる。しかも特別なＬＥＤを使用しなくても済むのでコストも安くなる。
【００１２】
請求項２の発明によれば、光制御手段をＬＥＤと別体に形成し、かつそのホルダ部にてレンズ型のＬＥＤのレンズ部外面に対して着脱自在にしたので、ＬＥＤを特別なものではなく市販のものにでき、簡単に面発光装置を構成できる。
【００１３】
請求項３の発明によれば、光制御手段をＬＥＤと一体に形成したので、光制御手段を別に形成してから取付ける必要がなく、装置の構造及び組立が簡単になる。
【００１４】
請求項４の発明によれば、前記リフレクターに斜面部を設け、この斜面部の最高部よりも前記光制御手段の前記反射主体部及び反射透過部の位置を低くしたので、リフレクターの斜面部による乱反射光を、拡散パネルと光制御手段の間に形成される空間である透過・乱反射域へ十分に導くことができる。したがって、拡散パネルと斜面部上方との間に形成される空間である乱反射域と、光制御手段上の透過・乱反射域における光量を均一化し、拡散パネル全体の輝度を均一化を可能にする。
【００１５】
請求項５の発明によれば、光制御手段をリフレクター上へ置き、周囲をリフレクターの斜面部にて支持させたので光制御手段の取付が簡単になる。しかも、位置決めも容易にできる。
【００１６】
請求項６の発明によれば、底部と斜面部からなるリフレクターの基本構造をＬＥＤの光軸方向から見て、円形又は略正多角形状の１ユニットとし、これにＬＥＤと光制御手段を設けたものを単一又は複数組み合わせることにより装置を組み立てるので、需要に応じて自由な大きさの面発光装置を形成できる。しかも、円形又は略正多角形とすることにより、各ユニットにおける輝度は全体が均一になるから、これらを組み合わせていかなる大きさの面発光装置を構成しても、全体として均一な輝度を実現できる。
【００１７】
【発明の実施の形態】
以下、図面に基づいて一実施例を説明する。図１〜７は第１実施例に係り、図１は面発光装置の斜視図、図２は図１の２−２線に沿う部分拡大断面図、図３は光制御手段の取付を示す図、図４は光制御手段を種々な角度で示す図、図５は作用を示す図、図６はリフレクターを拡散パネル側から示す図、図７はその７−７線断面図である。なお、本願発明においてはＬＥＤの光軸に沿って光が進む方向を前方という。
【００１８】
図１において、この面発光装置１は、電光案内装置等に用いられるよう直方体状をなすケース１ａとその開口部を覆う拡散パネル２を備える。ケース１ａは金属や樹脂等の比較的剛性を有する適宜材料からなり、屋外使用の場合には耐水性及び耐候性にも優れた材料を用いる。
【００１９】
拡散パネル２は半透明のガラスや樹脂等適宜材料からなり、好みにより色づけされるが無色でもよい。但し光源からの光を拡散できるよう半透明であり、構成材料自体を半透明にするか、透明なものの上に直接印刷したり他の半透明なフィルムを積層する等の公知方法により製造される。
【００２０】
図２に示すように、ケース１ａ内には、リフレクター３が収容され、その底部４にはＬＥＤ５が取付けられている。リフレクター３は基板一体型であり、ＬＥＤ５の取付と同時にリフレクター３に一体化された電気回路と電気的に接続され、図示しない電源より通電されて発光する。ＬＥＤ５はレンズ６を有するレンズ型である。また、発光色は白色等任意に使用できる。なお、本実施例における拡散パネル２は、一対の透明シート２ａ，２ａの間に半透明フィルム２ｂを挟んだ積層構造である。
【００２１】
ＬＥＤ５のレンズ６外面には光制御手段７が取付けられている。光制御手段７はＡＢＳなどの適宜な樹脂材料からなり、円板部８とその中心部へ突出する筒状のホルダ部９を一体に有する。
【００２２】
図３，４に示すように、ホルダ部９には先端から円板部８側へ向かってスリット１０、１０が形成されている。このスリット１０は１８０°間隔で一対形成される。但し、スリット１０、１０の間隔や個数は任意である。スリット１０、１０のうち円板部８の近傍となる基部は、周方向へ食い込んで形成された周方向スリット１０ａ，１０ａへ連続している。ホルダ部９はスリット１０ａ，１０ａの間で円板部８と連続一体化している。
【００２３】
図４のＣに示すように、ホルダ部９の内径がＬＥＤ５のレンズ６外径よりも小さめに形成され、ホルダ部９をレンズ６の外面へ被せたとき、スリット１０、１０の存在によって外方へ弾性変形してレンズ６の外面へ密着して取付可能なようになっている。このとき周方向スリット１０ａ，１０ａの存在によってホルダ部９の弾性変形が一層容易になる。
【００２４】
なお、図４のＡは表面側（すなわち前方側、以下同）から光制御手段７を示す斜視図、Ｂはその裏返し状態を示す図、Ｃは裏面におけるホルダ部９を示す図である。
【００２５】
図４のＡに示すように、円板部８はＬＥＤ５の直上部分となる反射主体部１１とその周囲をなす反射・透過部１２を有する。反射主体部１１はＬＥＤ５の光の透過量よりもリフレクター３側への反射量を多くするように設定されている。反射・透過部１２は反射主体部１１よりも透過量を多くしたものである。
【００２６】
光制御手段７における光透過量の調節は、透明又は半透明材料の表面に光の不透過層を形成したり、半透明材料の肉厚を変化させること等によって可能である。このうち光の不透過層を形成するものとして、例えば、ドット印刷があり、ドット（網点）密度を変化させることによって光の透過量を調節できる。このようなドット層の形成は、印刷以外の他の方法、例えばドット状に蒸着メッキすることでも実現できる。またドット印刷にはインクジェット式プリンターによるプリントを含めるものとする。
【００２７】
この場合ドット密度を、反射主体部１１で密、反射・透過部１２で粗とすれば２段階に調節できる。但し連続的もしくは段階的に変化するようグラデーション化させればよりきめ細かく調節できる。また、このような処理の施されたフィルムを円板部８へ張り付け等により積層してもよい。
【００２８】
なお、ドット層の形成に限らず、膜状の不透光層を形成し、その膜厚を変化させることにより透光量を調節することもできる。この場合、不透光層は非ドット状のベタ印刷又は蒸着メッキ等により形成でき、反射主体部１１を厚く、反射・透過部１２を薄くなるように形成すればよい。いずれの場合も、円板部８特に反射主体部１１の光源側となる裏面は反射率を良好にしておく。
【００２９】
円板部８の大きさは、拡散パネル２，リフレクター３及びＬＥＤ５等との関係並びに必要とされる拡散パネル２の輝度等により任意に設定でき、例えば底部４の輪郭に内接する程度に底部４のほぼ全体を覆うようにすることもでき、また図２に示すように、より小さくすることもできる。
【００３０】
図６，７に示すように、リフレクター３はアルミ蒸着樹脂や金属など反射率の高い適宜材料からなり、底部４の周囲を囲む斜面部１３を設ける。底部４とこれを囲む斜面部１３で１ユニットをなし、これを必要に応じて任意数連続させて形成する。本実施例の場合、横一列に６ユニットが設けられる。
【００３１】
前方から見たとき、底部４は正方形であって、その中央にＬＥＤ５の取付穴１４が設けられる。また、周囲を囲む斜面１３ａを含めた状態すなわち１ユニットにおける形状も正方形になる。なお、斜面部１３の両側に形成される斜面１３ａ、１３ａの境界は稜線１５をなし、この稜線１５を挟んで隣り合う斜面部１３，１３がピラミッド型をなす。
【００３２】
リフレクター３の周囲は外向きフランジ１６をなし、ケース１ａの上端部１ｂ上へ重なるようになっている。外向きフランジ１６とケース１ａの上端部１ｂの間及び外向きフランジ１６と拡散パネル２の間は図示省略のシール手段により密に防水される。外向きフランジ１６の位置は稜線１５よりも高くなっている。
また、図７に示すように、外向きフランジ１６と斜面部１３の境界部、隣り合う斜面部１３．１３間の境界部、斜面部１３と底部４の境界部、外向きフランジ１６の屈曲部、（いずれも○印で示す）は、アール形状にしてもよい。さらに図５に示すように、斜面部１３及び底部４は反射効率上それぞれ凹面又は凸面状にしてもよい。図中の仮想線は凹面状にした例である。
【００３３】
図５に示すように、稜線１５の位置は拡散パネル２より離れてその下方にあり、かつ円板部８の位置は稜線１５よりも寸法Ｈだけ低くなっている。この高さ関係は本実施例において均一な面発光を得る上で重要であるが、寸法は構成等により任意に変更できる。また、円板部８の形状変化等によってはこの高さ関係が変化し、例えば円板部８の縁部と稜線１５の頂部の高さがほぼ同等になるようにすることもできる。なお高さとは底部４を基準として、ここから拡散パネル２側へ突出する所定部までの寸法をいうものとする。
【００３４】
円板部８は曲面に形成してもよく、例えば、図５に仮想線で示すように、片面を凹面にし光の拡散を強くしてもよい。さらにこの曲面を円板部８の両面に形成してもよい。このような曲面の円板部はＬＥＤ５をチップ式ＬＥＤにすれば容易に形成できる。また、円板部８直上の拡散パネル２との空間は透過・乱反射域１７であり、その周囲の空間は光乱反射域１８となる。乱反射域１８は稜線１５の上方まで形成される。
【００３５】
次に、本実施例の作用を説明する。図５において、ＬＥＤ５に通電して発光させると、ＬＥＤ５の光は光軸１９を中心に散光するが、最も光量の多いＬＥＤ５の直上部分は円板部８の反射主体部１１により、光の透過量を抑えられ、その多くがリフレクター３の底部４及び斜面部１３側へ反射される。
【００３６】
ＬＥＤ５から直接底部４及び斜面１３ａへ向かった光、及び反射主体部１１により反射された光は、乱反射されてリフレクター３の上方全体へ広範囲に広がる。また、円板部８の反射・透過部１２では、ＬＥＤ５から直接到達する光がＬＥＤ５の直上である反射主体部１１と異なり、ある程度光量が減少しているため、反射主体部１１よりも透過量を多くする。但しある程度の反射量はあるので、これがリフレクター３側にて同様に乱反射される。
【００３７】
その結果、反射主体部１１を透過した光、反射・透過部１２を透過した光、さらには乱反射した後で反射・透過部１２を透過した光、乱反射域１８へ達した光、乱反射域１８側にて円板部８より高い斜面部１３から反射されて透過・乱反射域１７へ達した光等により透過・乱反射域１７と乱反射域１８はほぼ均一な光量になり、拡散パネル２の輝度を全面において均一にする。
【００３８】
しかも、リフレクター３の各ユニットは正方形をなすので、各コーナー部と中央の光源からの距離が縦横いずれの方向にても等しくなるから、各ユニット毎にムラのない面発光状態となり、これを連続させた面発光装置１の全体としても均一な面発光が得られる。
【００３９】
また、光制御手段７を介在させること及びＬＥＤ５の発熱量が少ないため、光源であるＬＥＤ５を拡散パネル２へ近接できるので、全体の明るさを十分にでき、かつ装置の厚みを薄くして全体をコンパクト化できる。しかも特別なＬＥＤを使用しなくても済むのでコストも安くなる。
【００４０】
そのうえ、光制御手段７をＬＥＤ５と別体に形成し、かつそのホルダ部９にてレンズ型のＬＥＤ５のレンズ６外面に対して着脱自在にしたので、光制御手段７を安価に製造できる。また、ＬＥＤ５を特別なものではなく市販のものにでき、簡単に面発光装置を構成できる。
【００４１】
また、リフレクター３に斜面部１３を設け、この斜面部１３の最高部である稜線１５よりも光制御手段７の反射主体部１１及び反射・透過部１２の位置を低くしたので、リフレクター３の斜面部１３による乱反射光を、拡散パネル２と光制御手段７の間に形成される空間である透過・乱反射域１７へ導き、透過・乱反射域１７と乱反射域１８の境界を無くすことができる。したがって、拡散パネル２と斜面部１３の上方との間に形成される空間である乱反射域１８と、光制御手段７上の透過・乱反射域１７における光量を均一化し、拡散パネル２全体の輝度を均一化可能にする。
【００４２】
さらに、底部４と斜面部１３からなるリフレクター３の基本構造を前方から見て、正方形の１ユニットとし、これにＬＥＤ５と光制御手段７を設けたものを複数組み合わせることにより装置を組み立てるので、需要に応じて自由な大きさの面発光装置１を形成できる。しかも、正方形とすることにより、各ユニットにおける輝度は全体が均一になるから、これらを組み合わせていかなる大きさの面発光装置を構成しても、全体として均一な輝度を実現できる。
【００４３】
図８は第２実施例であり、１ユニットのみで構成した最小構成の面発光装置１を示し、この例ではケース１ａ、拡散パネル２、リフレクター３の全てが正方形をなす。リフレクター３は図６，７における１ユニットのみとしたものに相当する。これを必要により、必要数を縦横自由に並べて一体化すれば、任意の大きさの面発光装置が得られる。なお、ケース１ａ及び拡散パネル２は、専用の所定形状及び寸法を有する単一のものとしてもよい。
【００４４】
図９〜１２は第３実施例であり、光制御手段７をリフレクター３に重ねて支持させるように形成したものに関する。図９は要部の分解図、図１０は光制御手段の一部を前方から示す図、図１１は取付状態断面図、図１２は光制御手段の１ユニット構成をした状態を示す。
【００４５】
図９，１０に示すように、この光制御手段７は図６等に示したものと同様に構成された１ユニットが正方形をなすものを多数個一体化したリフレクター３に対応し、これに直接被さる単一体として形成されている。
【００４６】
すなわち斜面部１３及び稜線１５に対応する斜面２３及び稜線２５を有し、かつ底部４の上方を覆う相似形で拡大した正方形の底部２４を１ユニットとし、これをリフレクター３のユニット数と対応する数だけ一体に形成したものである。このような光制御手段７は、適当な樹脂フィルム又はシート等を凹凸に成形することにより容易に形成できる。このとき、底部２４のうち、ＬＥＤ５の直上となる位置には、前記と同様にして透過・乱反射域１７が形成され、その周囲には同心円状に乱反射域１８が形成される。
【００４７】
また、底部２４は斜面１３ａの中間部に位置するようになっており、斜面２３もこの高さで底部２４に連続する。したがって光制御手段７の稜線２５が斜面部１３の稜線１５の上になるように光制御手段７をリフレクター３の上へ被せると、斜面２３が斜面１３ａの上半側に重なり、底部２４は底部４の上方に離れて位置するよう斜面部１３により支持される。したがって取付穴１４と稜線１５の高低差Ｈも維持される。
【００４８】
図１２は光制御手段７の１ユニットを稜線２５でカットしたものに相当する最小単位の光制御手段７であり、これを多数用意しておけばリフレクター３側のユニット数が変化した場合にも、その各ユニット毎に光制御手段７を取付けることで容易に対応できる。この場合、斜面２３は斜面部１３の片側斜面１３ａのみに重なるが、それぞれがテーパー状をなすため、光制御手段７は自重によりに斜面２３が同１３ａへ圧接された状態で位置決めされる。したがって、光制御手段７の取付が簡単になる。
【００４９】
図１３及び１４は第４実施例であり、光制御手段７をＬＥＤ５と一体化した例である。図１３はその斜視図であり、この例では光制御手段７をなす円板状の傘部３０と筒部３１のうち、筒部３１をＬＥＤ５のレンズ部としたものである。このＬＥＤ５は非レンズ型であり、傘部３０の中心から突出する筒部３１内にＬＥＤ素子３２を収容し、これに接続する端子３３，３４をＬＥＤ素子３２の外方へ突出させたものである。
【００５０】
図１４は傘部３０の上面図であり、中心部の反射主体部１１及びその周囲の反射・透過部１２さらにはその外側部３５までグラデーションをかけてドット密度を変化させてある。このような反射主体部１１、反射・透過部１２及び外側部３５の形成は前記したところと同様である。
【００５１】
このようにすると、光制御手段７をＬＥＤ５と一体に形成できるので、光制御手段７を別に設けて取付ける必要がなく、装置の構造及び組立が簡単になる。
【００５２】
図１５は光制御手段７をＬＥＤ５と一体化した第５実施例である。この例ではレンズタイプのＬＥＤ５に適用してあり、レンズ６の頂部へ光制御手段７の円板状部３６をレンズ６と一体に形成してある。すなわち、光制御手段７の筒部はレンズ６を共用することになる。但し、円板状部３６をレンズ６と別体にガラス等で形成してレンズ６の頂部へ溶着させてもよい。光制御手段７の反射主体部１１及び反射・透過部１２等の構造は図１４と同様である。
【００５３】
なお、本願発明は上記実施例に限定されず、同一の発明原理内において種々に変形や応用が可能である。リフレクターや光制御手段における１ユニットの形状は正方形に限定されない。例えば正５角形又は正６角形としてもよい。このような多角形の場合には、多数個をハニカム状に接続一体化できる。このように１ユニットを正多角形とすれば、各ユニットにおける拡散パネル２を全体が均一な面状発光状態に保つことができ、構成個数が多くなっても発光面の輝度は変化することなく均一な状態を維持できるから、需要に応じて自由な大きさの面発光装置１を形成できる。
【００５４】
なお、正多角形ではなく、円形であってもよい。この場合は多数個を一体化したとき、隣り合う３個の間に略３角形状の空間が形成されるが、この空間に対応する形状の別ユニットを用意しておき、これを円形のユニットと組み合わせることにより実現できる。この場合の別ユニットも本願発明における略正多角形を構成するものとする。
【図面の簡単な説明】
【図１】第１実施例に係る面発光装置の斜視図
【図２】図１の２−２線に沿う部分拡大断面図
【図３】光制御手段の取付を示す図
【図４】光制御手段を種々な角度で示す図
【図５】作用を示す図
【図６】リフレクターを前方から示す図
【図７】図６の７−７線相当断面図
【図８】第２実施例の１ユニットのみで構成した面発光装置
【図９】第３実施例に係る要部の分解図
【図１０】第３実施例　上面図
【図１１】第３実施例　取付状態断面図
【図１２】第３実施例　１ユニット構成をした状態を示す図
【図１３】第４実施例の斜視図
【図１４】第４実施例の傘部の上面図
【図１５】第５実施例に係る光制御手段とＬＥＤを示す図
【符号の説明】
１：発光装置、１ａ：ケース、２：拡散パネル、３：リフレクター、４：底部、５：ＬＥＤ、６：レンズ、７：光制御手段、８：円板部、９：ホルダ部、１１：反射主体部、１２：反射・透過部、１３：斜面部、１５：稜線、１７：透過・乱反射域、１８：乱反射域、２３：斜面、２４：底部、２５：稜線、３０：傘部、３２：ＬＥＤ素子
【図１】
2004006317.tif 000003
【図２】
2004006317.tif 000004
【図３】
2004006317.tif 000005
【図４】
2004006317.tif 000006
【図５】
2004006317.tif 000007
【図６】
2004006317.tif 000008
【図７】
2004006317.tif 000009
【図８】
2004006317.tif 000010
【図９】
2004006317.tif 000011
【図１０】
2004006317.tif 000012
【図１１】
2004006317.tif 000013
【図１２】
2004006317.tif 000014
【図１３】
2004006317.tif 000015
【図１４】
2004006317.tif 000016
【図１５】
2004006317.tif 000017
【手続補正書】
【提出日】平成15年4月18日(2003.4.18)
【手続補正１】
【補正対象書類名】図面
【補正対象項目名】図５
【補正方法】変更
【補正の内容】
【図５】
2004006317.tif 000018